(57)【要約】      （修正有）【課題】遊戯用ビニールプール等に用いられ、空気の注入と排出のいずれも効率よく行え、指での挟圧操作を不要とした空気中入部の給排気栓を提供する。【解決手段】ベース部２と、ベース部２の内部中央に、その軸線に沿い設けられた円筒状の空気給排部３と、空気給排部３の上端に連成する、長さ方向の途中部に逆止弁保持筒の嵌合孔５を設けた帯状連結片４の逆止弁保持筒の嵌合孔５より先端側に設けられた有底円筒状の栓本体６とをゴム、樹脂で一体成形する。これらと別体に、逆止弁保持筒の嵌合孔５に嵌合固定し、空気給排部３に嵌脱自在とすると共に栓本体６を上部開口に嵌脱自在とする、逆止弁保持筒７を成形する。逆止弁保持筒７は、内部下端近傍に、複数の通気孔８を穿設した弁支持板９を一体的に形成してなる。また、逆止弁保持筒７に、それにおける弁支持板９の中央部に設けた軸孔に挿通した弁保持軸１１を介して弁支持板９の下面全体を覆う適度の柔軟性を有する膜状の逆止弁１２を保持する。【選択図】図３
0003188532.tif 000002
【実用新案登録請求の範囲】
【請求項１】
スカート状のベース部と、該ベース部の内部中央に、その軸線に沿って設けられた円筒状の空気給排部と、該空気給排部の上端に連成する、長さ方向の途中部に後記逆止弁保持筒の嵌合孔を設けた帯状連結片の前記逆止弁保持筒の嵌合孔より先端側に設けられた有底円筒状の栓本体とを適度の弾性を有するゴム、樹脂等をもって一体成形する一方、これらと別体に、前記逆止弁保持筒の嵌合孔に嵌合固定し、前記空気給排部に嵌脱自在とすると共に前記栓本体を上部開口に嵌脱自在とする、硬質樹脂等をもって、上端外周にフランジを有し、内部下端近傍に、周方向に沿って所要の大きさ、形状の複数の通気孔を穿設した弁支持板を一体的に形成した逆止弁保持筒を成形し、該逆止弁保持筒に、それにおける弁支持板の中央部に設けた軸孔に挿通した弁保持軸を介して前記弁支持板の下面全体を覆う大きさ、形状の適度の柔軟性を有する膜状の逆止弁を保持してなることを特徴とする遊戯用ビニールプール等の空気注入部の給排気栓。
【考案の詳細な説明】
【技術分野】
【０００１】
本考案は、遊戯用ビニールプール等の空気注入部の給排気栓に関するものである。
【背景技術】
【０００２】
遊戯用ビニールプール、ビニールボール、ゴムボート等の空気注入部の給排気栓として、従来においては図９乃至図１３に示す如きものが使用されていた。
【０００３】
該図に示された従来の給排気栓１００は、適度の弾性を有するゴム、樹脂等からなり、遊戯用ビニールプールＰの空気注入部Ｐａに接着固定するスカート状のベース部１０１と、該ベース部１０１の内部中央に、その軸線に沿って設けられた、下端部に逆止弁１０２を有する円筒状の空気給排部１０３と、該空気給排部１０３の上端に連成する帯状連結片１０４に設けられた有底円筒状の栓本体１０５とからなり、これらを一体的に成形してなるものである。また、前記空気給排部１０３の逆止弁１０２は、円筒状の空気給排部１０３の下端を弁板１０２ａで塞ぐと共に、円筒状の空気給排部１０３の前記弁板１０２ａの上部の位置に斜めの切込み１０３ａを入れることによって形成してなるものである。
【０００４】
そして、斯かる従来の給排気栓１００は、空気を注入するときにおいては、先ず栓本体１０５を空気給排部１０３から抜脱し、使用者の口から直接、或いはフイゴを使用して空気を吹き込むものである。このときの状態は図１０に示す通りであり、吹き込まれた空気の圧力によって逆止弁１０２は開放状態となる。これにより吹き込まれた空気は遊戯用ビニールプールＰの内部に注入されるものである。また、息つぎ等のために空気の吹き込みが一時的に中断したときには、図１１に示す如く、内部の空気の圧力によって逆止弁１０２が閉じるものである。そして再び空気が吹き込まれたときには、前記図１０に示す通りに空気が注入されるものである。そして、遊戯用ビニールプールＰの内部に注入された空気が所定量に達したときには空気の吹き込みを停止するが、このときには、図１２に示す如く、先ず逆止弁１０２が空気の排出を阻止するが、最終的に栓本体１０５を空気給排部１０３に嵌合することによって完了するものである。
【０００５】
そしてまた、遊戯用ビニールプールＰ内の空気を排出するときには、図１３に示す如く、栓本体１０５を空気給排部１０３から抜脱し、スカート状のベース部１０１と空気給排部１０３を切込み１０３ａと直交する方向から指で挟んで押し潰し、該空気給排部１０３を歪み変形させることにより逆止弁１０２を開放させるものである。
【考案の概要】
【考案が解決しようとする課題】
【０００６】
上記従来の給排気栓１００は、上記の如くして空気の注入と排出が行われるが、そのいずれにおいてもきわめて効率が悪かった。それは、図１０に示す如く空気が注入されるときにおいても、また、図１３に示す如く空気が排出されるときにおいても、逆止弁１０２か開いて形成される空気の流通路がきわめて狭いことによるものである。そして、それは逆止弁１０２の形成の仕方が前記の通りであり、弁板１０２ａが円筒状の空気給排部１０３の下端部を完全に閉塞し、該空気給排部１０３に入れた斜めの切込み１０３ａによる切り口のみしか空気が流通しないからである。したがって、空気の注入と排出に多大な時間を要していた。また、空気が注入されにくいことから、使用者が口で空気を吹き込むときに相当な力を必要とした。
【０００７】
また、空気を吹き込むときにおいて、使用者の口から吹き込むとき、及び空気を排出するときにおいては、スカート状のベース部１０１と空気給排部１０３を指で挟んで押し潰す必要があり、長い時間継続して押し潰していなければならないから、指が疲れるという問題もあった。
【０００８】
本考案は上記の点に鑑みなされたものであって、空気の注入と排出のいずれにおいても効率よく、且つ空気を使用者が口で吹き込むときには、従来程力を要さずに行うことができると共に、従来の如き指による挟圧操作を不要となした遊戯用ビニールプール等の空気注入部の給排気栓を提供しようとするものである。
【課題を解決するための手段】
【０００９】
而して、本考案の要旨とするところは、スカート状のベース部と、該ベース部の内部中央に、その軸線に沿って設けられた円筒状の空気給排部と、該空気給排部の上端に連成する、長さ方向の途中部に後記逆止弁保持筒の嵌合孔を設けた帯状連結片の前記逆止弁保持筒の嵌合孔より先端側に設けられた有底円筒状の栓本体とを適度の弾性を有するゴム、樹脂等をもって一体成形する一方、これらと別体に、前記逆止弁保持筒の嵌合孔に嵌合固定し、前記空気給排部に嵌脱自在とすると共に前記栓本体を上部開口に嵌脱自在とする、硬質樹脂等をもって、上端外周にフランジを有し、内部下端近傍に、周方向に沿って所要の大きさ、形状の複数の通気孔を穿設した弁支持板を一体的に形成した逆止弁保持筒を成形し、該逆止弁保持筒に、それにおける弁支持板の中央部に設けた軸孔に挿通した弁保持軸を介して前記弁支持板の下面全体を覆う大きさ、形状の適度の柔軟性を有する膜状の逆止弁を保持してなることを特徴とする遊戯用ビニールプール等の空気注入部の給排気栓にある。
【考案の効果】
【００１０】
本考案は上記の如き構成であるから、空気を注入するときには、吹き込まれる空気の圧力によって逆止弁が下方にずれて逆止弁保持筒における弁支持板から離れると共に、下側に大きく反り曲がり、且つまた弁支持板には周方向に沿って所要の大きさ、形状の複数の通気孔が穿設され、空気の流通路が大きくされているから、吹き込まれた空気の逆止弁保持筒の下部を通過するときの流量は従来に比してはるかに増大するものである。したがって、空気の注入を従来に比してはるかに効率よく行うことができるものである。また、空気の吹き込みを使用者が口で行う場合においても、従来よりも力を要さずに行うことができるものである。
【００１１】
また、空気を排出するときには、空気給排部から逆止弁保持筒を抜脱して行うから、空気の抜け出る流路が従来の逆止弁を通って流れる場合に比して格段に大きくなる。したがって、空気の排出を従来に比してはるかに効率よく行うことができるものである。
【００１２】
そしてまた、空気の注入と排出操作のいずれにおいても従来の如き指による挟圧操作が不要となるものである。
【図面の簡単な説明】
【００１３】
【図１】本考案の実施形態に係る遊戯用ビニールプール等の空気注入部の給排気栓の空気注入直前の状態の斜視図である。
【図２】同平面図である。
【図３】図２中Ａ−Ａ線断面図である。
【図４】同空気注入前の状態の縦断面図である。
【図５】同底面図である。
【図６】同空気の注入中の状態の拡大縦断面図である。
【図７】同空気の注入完了時の状態の拡大縦断面図である。
【図８】同空気の排出中の状態の拡大縦断面図である。
【図９】従来の遊戯用ビニールプール等の空気注入部の給排気栓の空気注入直前の状態の斜視図である。
【図１０】同空気の注入中の状態の縦断面図である。
【図１１】同空気の注入を一時的に中断した状態の縦断面図である。
【図１２】同空気の注入完了時の状態の縦断面図である。
【図１３】同空気の排出中の状態の縦断面図である。
【考案を実施するための形態】
【００１４】
以下、本考案を実施するための形態について、図面を参照して説明する。
【００１５】
図中、１は遊戯用ビニールプール等の空気注入部の給排気栓である。
【００１６】
また、該遊戯用ビニールプール等の空気注入部の給排気栓１は、スカート状のベース部２と、該ベース部２の内部中央に、その軸線に沿って設けられた円筒状の空気給排部３と、該空気給排部３の上端に連成する、長さ方向の途中部に後記逆止弁保持筒の嵌合孔５を設けた帯状連結片４の前記逆止弁保持筒の嵌合孔５より先端側に設けられた有底円筒状の栓本体６とを適度の弾性を有するゴム、樹脂等をもって一体成形する。これらと別体に、前記逆止弁保持筒の嵌合孔５に嵌合固定し、前記空気給排部３に嵌脱自在とすると共に前記栓本体６を上部開口に嵌脱自在とする、硬質樹脂等をもって、上端外周にフランジ７ａを有し、内部下端近傍に、周方向に沿って所要の大きさ、形状の複数の通気孔８を穿設した弁支持板９を一体的に形成した逆止弁保持筒７を成形し、該逆止弁保持筒７に、それにおける弁支持板９の中央部に設けた軸孔１０に挿通した弁保持軸１１を介して前記弁支持板９の下面全体を覆う大きさ、形状の適度の柔軟性を有する膜状の逆止弁１２を保持してなるものである。尚、前記弁保持軸１１には軸方向の適宜の箇所に抜け止め用の膨大部１１ａを設けている。
【００１７】
次に、上記実施形態の作用について説明する。
遊戯用ビニールプール等内の空気を排出したときには、図４に示す如き状態で保管されるものである。このときの状態は、逆止弁保持筒７が、帯状連結片４の逆止弁保持筒の嵌合孔５に嵌合固定された状態において空気給排部３に嵌合され、また該逆止弁保持筒７の上部開口に、帯状連結片４の先端側の栓本体６が嵌合されている。
【００１８】
そして、遊戯用ビニールプール内に空気を注入するときには、先ず図１乃至図３に示す如く、逆止弁保持筒７の上部開口から栓本体６を抜脱し、この状態において使用者の口から直接、或いはフイゴを使用して空気を吹き込むものである。このときの状態は図６に示す通りであり、吹き込まれた空気の圧力によって逆止弁１２が下方にずれて逆止弁保持筒７における弁支持板９から離れると共に、下側に大きく反り曲がり、且つまた弁支持板９には周方向に沿って所要の大きさ、形状の複数の通気孔８が穿設され、空気の流通路が大きくされているから、吹き込まれた空気の逆止弁保持筒７の下部を通過するときの流量は従来に比してはるかに増大するものである。したがって、空気注入を従来に比してはるかに効率よく行うことができるものである。また、空気の吹き込みを使用者が口で行う場合において、従来よりも力を要さずに行うことができるものである。
【００１９】
また息つぎ等のために空気の吹き込みが一時的に中断したときには、内部の空気の圧力によって押し上げられて逆止弁１２が閉じるものである。そして再び空気が吹き込まれたときには、前記図６に示す通りに空気が注入されるものである。そして、遊戯用ビニールプールの内部に注入された空気が所定量に達したときは空気の吹き込みを停止するが、このときには図７に示す如く、先ず逆止弁１２が空気の排出を阻止するが、最終的に栓本体６を逆止弁保持筒７の上部に嵌合することによって完了するものである。
【００２０】
そしてまた、遊戯用ビニールプール内の空気を排出するときには、図８に示す如く、空気給排部３から逆止弁保持筒７を抜脱して行うものである。そして、これにより空気の抜け出る流路が従来の逆止弁を通って流れる場合に比して格段に大きくなり、空気の排出を従来に比してはるかに効率よく行うことができるものである。そしてまた、上記空気の注入と排出操作のいずれにおいても従来の如き指による挟圧操作が不要となるものである。
【符号の説明】
【００２１】
１  遊戯用ビニールプール等の空気注入部の給排気栓
２  ベース部
３  空気給排部
４  帯状連結片
５  逆止弁保持筒の嵌合孔
６  栓本体
７  逆止弁保持筒
８  通気孔
９  弁支持板
１０  軸孔
１１  弁保持軸
１２  逆止弁
【図１】
0003188532.tif 000003
【図２】
0003188532.tif 000004
【図３】
0003188532.tif 000005
【図４】
0003188532.tif 000006
【図５】
0003188532.tif 000007
【図６】
0003188532.tif 000008
【図７】
0003188532.tif 000009
【図８】
0003188532.tif 000010
【図９】
0003188532.tif 000011
【図１０】
0003188532.tif 000012
【図１１】
0003188532.tif 000013
【図１２】
0003188532.tif 000014
【図１３】
0003188532.tif 000015
【手続補正書】
【提出日】平成25年11月15日(2013.11.15)
【手続補正１】
【補正対象書類名】実用新案登録請求の範囲
【補正対象項目名】請求項１
【補正方法】変更
【補正の内容】
【請求項１】
スカート状のベース部と、該ベース部の内部中央に、その軸線に沿って設けられた円筒状の空気給排部と、該空気給排部の上端に連成する、長さ方向の途中部に後記逆止弁保持筒の嵌合孔を設けた帯状連結片の前記逆止弁保持筒の嵌合孔より先端側に設けられた有底円筒状の栓本体とを適度の弾性を有するゴム又は樹脂をもって一体成形する一方、これらと別体に、前記逆止弁保持筒の嵌合孔に嵌合固定し、前記空気給排部に嵌脱自在とすると共に前記栓本体を上部開口に嵌脱自在とする、硬質樹脂をもって、上端外周にフランジを有し、内部下端近傍に、周方向に沿って所要の大きさ、形状の複数の通気孔を穿設した弁支持板を一体的に形成した逆止弁保持筒を成形し、該逆止弁保持筒に、それにおける弁支持板の中央部に設けた軸孔に挿通した弁保持軸を介して前記弁支持板の下面全体を覆う大きさ、形状の適度の柔軟性を有する膜状の逆止弁を保持してなることを特徴とする遊戯用ビニールプール等の空気注入部の給排気栓。